(57)【要約】【課題】  従来と同等の機能を有しつつ、素材を無駄にしない形状の積層型電池用電極材およびこの電極材からなる積層型電池を提供する。【解決手段】  積層型電池用電極材は、略矩形シート状で、一辺の一部が外周側に延出して電極タブが形成されており、当該辺の対辺に、前記電極タブと同形状の切欠が形成されている。そして前記電極タブが、一辺の端部に形成されており、一辺の長さの１／３より短い。積層型電池は、前記電極材を正極および負極として用い、正極と負極とは、電極タブが形成された一辺が同じ側に位置し、かつ両電極タブの位置がそれぞれ辺の反対側端になるようにして、正極と負極とをセパレータを介して交互に積層してなる。【選択図】      図１
2011086505.tif 000002
【特許請求の範囲】
【請求項１】
略矩形シート状で、一辺の一部が外周側に延出して電極タブが形成されており、当該辺の対辺に、前記電極タブと同形状の切欠が形成されていることを特徴とする積層型電池用電極材。
【請求項２】
前記電極タブが、一辺の端部に形成されており、一辺の長さの１／３より短いことを特徴とする請求項１記載の積層型電池用電極材。
【請求項３】
請求項２記載の電極材を正極および負極として用い、
正極と負極とは、電極タブが形成された一辺が同じ側に位置し、かつ両電極タブの位置がそれぞれ辺の反対側端になるようにして、
正極と負極とをセパレータを介して交互に積層してなることを特徴とする積層型電池。
【発明の詳細な説明】
【技術分野】
【０００１】
本発明は、シート状の積層型電池用電極材およびこの電極材を積層してなる積層型電池に関する。
【背景技術】
【０００２】
ハイブリッド自動車や電気自動車などに用いられる電池として、積層型のリチウムイオン二次電池の需要が増大している。これは、シート状の正極と負極とを、セパレータを介して交互に積層してなるもので、例として、正極にはアルミ箔にコバルト酸リチウムやニッケル酸リチウムを塗布したもの、負極には銅箔に黒鉛を塗布したもの、セパレータには高分子フィルムなどが用いられ、積層数を増やすことで、より大容量化できる。
【０００３】
ところで、上記のリチウムイオン二次電池に代表される積層型電池の正極および負極（併せて電極とよぶ）は、一般に矩形で、その一辺の一部が外周側に延出して正極タブまたは負極タブ（併せて電極タブとよぶ）が形成されている（例えば、特許文献１の図５）。矩形なのは、一般に直方体型の電池ケースの形状に合わせて、体積効率を上げるためであり、電極タブは、正極同士、負極同士をそれぞれ接続するために必要である。
【先行技術文献】
【特許文献】
【０００４】
【特許文献１】特開２００３−２９７４３０号公報
【発明の概要】
【発明が解決しようとする課題】
【０００５】
しかしながら、このような形状の電極を長尺の素材から連続的に形成する場合（特許文献１の図１（ロ））、素材の一部が無駄になってしまう。すなわち、図４に示すように、電極タブ１１を有する電極１０を並べた場合、電極１０同士の間に無駄な廃棄部分１２が生じる（斜線部分）。
【０００６】
本発明は、上記事情を鑑みたものであり、従来と同等の機能を有しつつ、素材を無駄にしない形状の積層型電池用電極材およびこの電極材からなる積層型電池を提供することを目的とする。
【課題を解決するための手段】
【０００７】
本発明のうち請求項１の発明は、略矩形シート状で、一辺の一部が外周側に延出して電極タブが形成されており、当該辺の対辺に、前記電極タブと同形状の切欠が形成されていることを特徴とする。
【０００８】
本発明のうち請求項２の発明は、前記電極タブが、一辺の端部に形成されており、一辺の長さの１／３より短いことを特徴とする。
【０００９】
本発明のうち請求項３の発明は、請求項２記載の電極材を正極および負極として用い、正極と負極とは、電極タブが形成された一辺が同じ側に位置し、かつ両電極タブの位置がそれぞれ辺の反対側端になるようにして、正極と負極とをセパレータを介して交互に積層してなることを特徴とする。
【発明の効果】
【００１０】
本発明のうち請求項１の発明によれば、電極タブが形成された辺の対辺に同形状の切欠が形成されているから、長尺の素材から連続形成する際に、素材の無駄が生じない。
【００１１】
本発明のうち請求項２の発明によれば、電極タブを必要最小限に小さくすることで、その対辺に形成される切欠も必要最小限となる。切欠部分は電極としての機能を有さないから、電池の機能に寄与しない面積が最小に抑えられ、電池の体積効率が向上する。
【００１２】
本発明のうち請求項３の発明によれば、請求項２記載の電極を正極および負極の両方に用いることができるから（一方は裏返して使用する）、生産性が高い。また機能の面でも、電池は正極と負極が重なり合う部分で電圧が発生するものであるところ、重なり合わない切欠の面積が必要最小限に抑えられているから、体積効率が高い。
【図面の簡単な説明】
【００１３】
【図１】本発明の積層型電池用電極材の平面図。
【図２】積層型電池用電極材を正極および負極として用いた場合の平面図。
【図３】積層型電池用電極材を正極および負極に用いて構成された電池材の斜視図。
【図４】従来の積層型電池用電極材の平面図。
【発明を実施するための形態】
【００１４】
本発明の積層型電池用電極材および積層型電池の具体的な構成について、各図面に基づいて説明する。この電極材Ｅは、図１（ａ）に示すように、略矩形シート状で、一辺の端部が外周側に延出して台形状の電極タブ１が形成されており、当該辺の対辺には、電極タブ１と同形状の切欠２が形成されている。このように形成することで、図１（ｂ）に示すように、長尺の素材から電極材Ｅを連続的に形成する場合に、ある電極材Ｅの電極タブ１部分が隣接する電極材Ｅの切欠２部分となり、素材の無駄が生じない。
【００１５】
また、電極タブ１は、この電極材Ｅを正極および負極として用いる場合に、正極同士、負極同士をそれぞれ接続するためのものであり、そのような接続が可能なだけの大きさがあれば十分である。よって、本電極材Ｅの電極タブ１は、それが形成される一辺の長さの１／３より短く形成されており、延出長さ（図１における上下方向長さ）も必要最小限の長さになっている。このように電極タブ１を必要最小限に小さくすることで、その対辺に形成される切欠２も必要最小限となる。そして、この電極材を正極Ｐおよび負極Ｎとして電池に用いる場合、図２に示すように、一方を裏返して、電極タブ１Ｐ，１Ｎが形成された一辺が同じ側に位置し、かつ両電極タブ１Ｐ，１Ｎの位置がそれぞれ辺の反対側端になるようにして重ね合わされる（図２では、正極Ｐを実線、負極Ｎを破線で示した。また、実際の電池ではセパレータを介して重ねられるが、省略した）。電池は正極Ｐと負極Ｎが重なり合う部分（図２の斜線部分）で電圧が発生するものであり、切欠２Ｐ，２Ｎ部分は電池の機能に寄与しない部分となるが、この部分の面積が必要最小限に抑えられているので、電池の体積効率が高い。また、正極Ｐと負極Ｎに同一の電極材を用いることができるから、生産性が高い。
【００１６】
なお、本電極材を正極Ｐおよび負極Ｎに用いた電池材Ｂの斜視図を図３に示す。これは、正極Ｐと負極ＮとをセパレータＳを介して交互に積層してなるものである。この電池材Ｂについて、正極Ｐの電極タブ１Ｐ同士、負極Ｎの電極タブ１Ｎ同士をそれぞれ連結し、これをケースに納めて電解液に浸せば、本発明の積層型電池が得られる。
【００１７】
本発明は、上記の実施形態に限定されない。たとえば、電極タブの形状は、切欠と同形状であればよく、三角形や半円形などでもよい。
【符号の説明】
【００１８】
１，１Ｐ，１Ｎ  電極タブ
２，２Ｐ，２Ｎ  切欠
Ｅ  電極材
Ｐ  正極
Ｎ  負極
Ｓ  セパレータ
【図１】
2011086505.tif 000003
【図２】
2011086505.tif 000004
【図３】
2011086505.tif 000005
【図４】
2011086505.tif 000006